(57)【特許請求の範囲】
【請求項１】
女性人体の股部分に対応するマチ部を有するボトム衣類に設けられるパッドであって、  前記ボトム衣類の装着時において、装着者の会陰体に対応する位置に突起部を有するメイン部と、前記メイン部の一方側に設けられ前記装着者の前記会陰体の前方の体表面に対向配置されるサポート部と、を備え、
前記サポート部は、装着時に尿道及び膣孔が並ぶ中央部位の両側部に、前後方向に沿って配される一対の脚部を備え、
前記一対の脚部は、前記脚部が互いに対向する内側部に、外側部よりも厚く構成された突条部をそれぞれ有し、
前記一対の前記脚部の間は、スリット状の切り欠きまたは前記突条部よりも薄い薄肉部が形成されることを特徴とする女性向けボトム衣類用パッド。
【請求項２】
装着時に装着者の股部を覆うマチ部を備えるとともに、
前記マチ部に配置され、装着時において、装着者の会陰体に位置する突起部を有するメイン部と、前記メイン部の一方側に設けられ前記装着者の前記会陰体の前方の体表面に対向配置されるサポート部と、を備え、
前記サポート部は、装着時に尿道及び膣孔が並ぶ中央部位の両側部に、前後方向に沿って配される一対の脚部を備え、
前記一対の脚部は、前記脚部が互いに対向する内側部に、外側部よりも厚く構成された突条部をそれぞれ有し、
前記一対の前記脚部の間は、スリット状の切り欠きまたは前記突条部よりも薄い薄肉部が形成されるボトム衣類用パッドと、を備えることを特徴とする女性向けボトム衣類。
【請求項３】
前身頃と、
後身頃と、
前記前身頃及び前記後身頃の間に設けられるマチ部と、
前記マチ部に設けられ、前記マチ部の前記後身頃側であって装着者の会陰体に対応する位置に配置される突起部を有するメイン部と、前記メイン部から前記前身頃側に延びるとともに前記突起部よりも低い一対の突条部を有するサポート部と、を有するボトム衣類用パッドと、を備えることを特徴とする女性向けボトム衣類。
【請求項４】
前記マチ部は袋状に構成されたポケット部を有し、
前記ボトム衣類用パッドは、弾性変形可能なクッション材で、前記ポケット部に収容可能に形成され、
前記突起部における前記メイン部の厚さは１２〜５０ｍｍであり、
前記サポート部の前記突条部は、前記メイン部よりも厚み寸法が小さく、１〜３０ｍｍに構成されることを特徴とする請求項３に記載の女性向けボトム衣類。
【発明の詳細な説明】
【技術分野】
【０００１】
本発明は、女性向けボトム衣類用パッド及び女性向けボトム衣類に関する。
【背景技術】
【０００２】
近年、骨盤底筋群を鍛えることで、失禁等の症状を抑制することが提案されている。また、失禁の症状に対処するために、例えば半球状の押圧部材で男性の会陰体を押圧する男性用尿失禁防止具（特許文献１参照）、骨盤底筋群全体を押し上げる下着（特許文献２参照）、磁気刺激による骨盤底筋群への渦電流刺激装置（特許文献３参照）、骨盤部体表面から粘着パッドにより骨盤底筋群を電気刺激する下着（特許文献４参照）、膣内挿入型電気刺激による骨盤底筋群を刺激する装置（特許文献５参照）等が提供されている。
【先行技術文献】
【特許文献】
【０００３】
【特許文献１】特開２０１４−１５１０２２号公報
【特許文献２】特開２０１４−２０１８４１号公報
【特許文献３】特開２００１−２７６２３４号公報
【特許文献４】特開２００２−２００１７８号公報
【特許文献５】特開平８−１３１５６１号公報
【発明の概要】
【発明が解決しようとする課題】
【０００４】
しかしながら、従来の技術では骨盤底筋群の適切な位置を刺激あるいは支持することができず、充分な失禁症状の抑制の効果が得られなかったり、装着や治療自体が面倒または苦痛を伴うものであったりして、普及するには至っていない。このため、より効果的に失禁の症状を抑制できる技術が求められている。
【課題を解決するための手段】
【０００５】
本発明の一形態にかかる女性向けボトム衣類用パッドは、女性人体の股部分に対応するマチ部を有するショーツに設けられるショーツ用パッドであって、前記ショーツの装着時において、装着者の会陰体に対応する位置に突起部を有するメイン部と、前記メイン部の一方側に設けられ前記装着者の前記会陰体の前方の体表面に対向配置されるサポート部と、を備え、前記サポート部は、装着時に尿道及び膣孔が並ぶ中央部位の両側部に、前後方向に沿って配される一対の脚部を備え、前記一対の脚部は、前記脚部が互いに対向する内側部に、外側部よりも厚く構成された突条部をそれぞれ有し、前記一対の前記脚部の間は、スリット状の切り欠きまたは前記突条部よりも薄い薄肉部が形成されることを特徴とする女性向けボトム衣類用パッドである。
【発明の効果】
【０００６】
本発明によれば、単純な構造でありながら、正しく装着でき、かつ、正確に目的部位を圧迫できる構造であるため、特別な訓練を必要とせず、通常のショーツを身につける日常の動作のみで、効果的に失禁の症状を抑制できる女性向けボトム衣類用パッド及び女性向けボトム衣類を提供できる。
【図面の簡単な説明】
【０００７】
【図１】第１実施形態にかかるショーツの構成を示す説明図。
【図２】同ショーツの構成を示す説明図。
【図３】同ショーツのマチ部の構成を示す説明図。
【図４】同パッドの構成を示す側面図。
【図５】同パッドの構成を示す斜視図。
【図６】同パッドの構成を示す前面図。
【図７】同パッドの装着位置を示す説明図。
【図８】同パッドの装着位置を示す説明図。
【発明を実施するための形態】
【０００８】
以下、女性向けボトム衣類の一例として、１実施形態にかかるショーツ１０について図１乃至図８を参照して説明する。図１は、第１実施形態にかかるショーツ１０を前方から見た説明図であり、図２は、後方から見た説明図である。図３は、ショーツ１０のマチ部１３の構成を示す説明図である。図４は、女性向けボトム衣類用パッドの一例であるパッド２０の構成を示す側面図であり、図５はパッド２０の構成を示す斜視図である。図６は、パッド２０の前面図である。
【０００９】
図１乃至図３に示すように、ショーツ１０は、例えば綿や合成繊維からなる布地で構成され、前身頃１１と、後身頃１２と、前身頃１１及び後身頃１２の間に設けられ装着時に股部１１０に配されるマチ部１３と、を備えている。
【００１０】
前身頃１１は、装着時に人体の下腹部１０１から股部１１０を覆う所定形状に構成されている。前身頃１１は、腹部に配される上縁１１ａと、人体の左右両足の付け根に位置する一対の側縁１１ｂと、縫合によりマチ部１３に接続される下縁１１ｃと、縫合により後身頃１２に接続される上側縁１１ｄと、で囲まれている。
【００１１】
後身頃１２は、装着時に人体の尻部を覆う所定形状に構成されている。後身頃１２は、腰部分に配される上縁１２ａと、人体の左右両足の付け根に位置する一対の側縁１２ｂと、縫合によりマチ部１３に接続される下縁１２ｃと、縫合により前身頃１１に接続される上側縁１２ｄと、で囲まれている。
【００１２】
マチ部１３は、所定幅を有し、前縁１３ａと後縁１３ｂと両側縁１３ｃとを備え、人体の股部１１０を覆う所定形状に構成されている。
【００１３】
前身頃１１と後身頃１２とが上側縁で互いに縫合により接続されている。前身頃１１の下縁１１ｃはマチ部１３の前縁１３ａに縫合により接続されている。後身頃１２の下縁１２ｃはマチ部１３の後縁１３ｂに縫合により接続されている。マチ部１３の側縁１３ｃと前身頃１１及び後身頃１２の側縁１１ｂ、１２ｂとによって、脚繰りとなる一対の開口が形成されるとともに、前身頃１１及び後身頃１２の上縁１１ａ，１２ａが連続することで腰回りの開口が形成される。
【００１４】
マチ部１３には、例えば生地が重ねられて袋状に構成されたポケット部１４が形成されている。ポケット部１４は、後端縁１４ａと両側縁１４ｂが閉じられ、前縁１４ｃが前方に開口している。
【００１５】
ポケット部１４の前縁１４ｃには、装着時に人体側に配される内側の生地が表側の生地との間において後方に向かって折り返されるとともにその両側部が縫合された返し構造部１４ｄを備えている。この返し構造部１４ｄによって、内蔵されたパッド２０の飛び出しを抑制する。ポケット部１４には、所定形状に構成されたパッド２０が配置されている。
【００１６】
パッド２０は、ショーツ１０に設けられるショーツ用パッドであり、所定形状に成型された弾性変形可能で湾曲しやすいクッション材で構成されている。パッド２０は、例えば表面がポリエステルに樹脂コーティングした生地でラミネートされた発泡性のポリウレタンシートが所定形状にモールド加工されて構成される。
【００１７】
パッド２０の外周縁は熱プレス処理によって圧縮されている。パッド２０の外周縁には、中央側の部位よりも硬く、変形しにくく構成され、高い保形性を有するベースライン２０ａが形成されているが、この態様に限られるものではない。
【００１８】
パッド２０は、ショーツ１０の装着時において、装着者の会陰体１１５に対応する位置に突起部２３を有するメイン部２１と、メイン部２１の一方側に設けられ装着者の会陰体１１５の前方の体表面としての皮膚に対向配置されるサポート部２２と、を備える。パッド２０は、たとえば平面視において、略馬蹄状すなわち、略Ｕ字形状に構成されている。
【００１９】
パッド２０の長さは例えば、ポケット部１４に収容可能な長さであって、人体の会陰体１１５後方近傍から尿道１１１前方近傍に至る長さに設定されている。例えばパッド２０のＸ方向の長さは７０〜１９０ｍｍに構成されており、より好適には１１３〜１３３ｍｍ程度に構成されている。例えばパッド２０は、ポケット部１４の内寸より小さめに寸法設定され、ポケット部１４内においてその位置が調整可能に構成されている。
【００２０】
パッド２０の幅寸法は、一般的なボトム衣類のマチ部に設けたポケット部１４に収容可能であり、その範囲で膣孔１１２周りの骨盤底筋群１２０に対応した所定の幅に設定されている。例えばパッド２０のＹ方向寸法は３０〜１００ｍｍに構成されており、より好適には６０〜７５ｍｍ程度に構成されている。
【００２１】
メイン部２１は、パッド２０部の一端側に配置され、一端側に円弧状に湾曲した外縁を有する。メイン部２１には、Ｚ方向に突出する突起部２３が形成されている。突起部２３は、その外面が略半球状に隆起する曲面を構成している。突起部２３の頂部は例えば装着時に人体の会陰体１１５に対向する位置に設定される。
【００２２】
また、メイン部２１は、突起部２３とは反対側に、緩やかに隆起する隆起部２４が設けられている。すなわち、ベースライン２０ａを基準として、一方と他方にそれぞれ湾曲面を形成する凸部が設けられている。なお、メイン部２１の構成は隆起部２４を備える態様に限られるものではなく、例えば隆起部２４を省略して一方のみに凸部を構成するものであってもよい。
【００２３】
パッド２０は、突起部２３の外周縁と、脚部２５の付け根の部位の厚みが小さくなるように凹んでいる。このため、図４に破線で示すように、パッド２０は装着時の外力に応じて脚部２５の付け根で屈曲しやすくなっている。
【００２４】
すなわち、パッド２０は、隆起部２４があることと、脚部２５の付け根で屈曲しやすいことにより、メイン部２１がサポート部２２よりも内方に位置するように緩やかに屈曲あるいは傾斜する姿勢となりやすく、装着時に体に密着しやすく形成されている。
【００２５】
一例として、サポート部２２のベースライン２０ａに対して、メイン部２１のベースライン２０ａが１２度程度、傾斜するとともに、装着者の個体差にもよるが、サポート部２２のベースライン２０ａ自体も装着時に４５度程度、湾曲する。
【００２６】
突起部２３は、パッド２０がポケット部１４に設置され、装着者がショーツ１０を装着した状態で、装着者の会陰体１１５に位置する寸法に配置されている。例えば実施形態において、ベースライン２０ａを基準とした突起部２３の厚みは１２〜５０ｍｍに構成されており、より好適には１４〜２３ｍｍに構成されている。ベースライン２０ａを基準とした隆起部２４の厚みは１〜５ｍｍ程度に構成されている。
【００２７】
サポート部２２は、メイン部２１から他端側に延びる一対の脚部２５を有する。一対の脚部２５は、装着時に尿道１１１及び膣孔１１２が並ぶ中央部位の両側部に、前後方向に沿って配される。一対の脚部２５の間はスリット状に切り欠かれ、間隙部２６が形成されている。寸法は７〜１５ｍｍに構成されており、より好適には９〜１３ｍｍ程度に構成されている。
【００２８】
一対の脚部２５は、脚部２５同士が互いに対向する内側部に、外側部２８よりも厚く構成された突条部２７をそれぞれ有している。すなわち、脚部２５は、内側部が隆起して突条部２７を構成し、突条部２７の外側部２８は突条部２７よりも低くなっている。
【００２９】
サポート部２２の突条部２７における厚さ寸法は、突起部２３の厚さ寸法よりも小さく、例えば1〜３０ｍｍに構成されており、より好適には２〜９ｍｍに構成されている。
【００３０】
したがって、一対の脚部２５はそれぞれ、会陰体１１５前方近傍から尿道１１１前方近傍に至る領域における人体の股部１１０の体表面の凹凸形状に沿う外面を有している。
【００３１】
以上のように構成されたパッド２０は、装着時に、その厚さによって、ショーツ１０の内面を、内方すなわち人体側に押しつける方向に隆起させることで、装着時に人体の所定位置を押圧して刺激または支持する。
【００３２】
本実施形態において、パッド２０はポケット部１４に着脱可能に設置される。すなわち、図３に示すように、前縁の開口からポケット部１４にパッド２０を挿入し、返し構造部１４ｄの生地で前端部を包み込むように生地を引っかけることによって、パッド２０がポケット部１４内に位置決めされる。
【００３３】
次に、本実施形態のショーツ１０を装着した状態について説明する。図７及び図８は、パッド２０の装着位置を示す説明図であり、人体である装着者の各部位との位置関係を示している。図７は人体の下腹部１０１を側方から見た説明図であり、図８は人体の股部１１０の内部に配される筋肉や骨の位置を示す説明図であり、股部の下方から示している。なお、図７及び図８において筋肉の位置の説明のため、皮膚やその他構成を適宜省略して概略的に示している。
【００３４】
図7及び図８に示すように、人体の下腹部１０１内には、前方から順番に、膀胱１０３と、子宮１０４と、大腸１０５と、が配置されている。下腹部１０１の下方の股部１１０には、膀胱１０３に繋がる尿道１１１と、膣を介して子宮１０４に繋がる膣孔１１２と、大腸１０５に繋がる肛門１１３とが前方から後方に順番に配置されている。
【００３５】
股部１１０には、肛門挙筋１１６、外尿道括約筋１１７、深会陰体横筋１１８、尾骨筋１１９、等の複数の筋肉から構成される骨盤底筋群１２０が配されている。骨盤底筋群１２０の筋繊維は、肛門１１３と膣孔１１２との間に配される会陰体１１５（会陰腱中心）に集中している。すなわち、会陰体１１５が骨盤底筋群１２０の要となる。この骨盤底筋群１２０の人体上方に、骨盤１２１、背骨１２２が配されている。会陰体１１５が、出産による自然裂傷や切開、体重増加、ホルモンバランスの影響、便秘による努責などの様々な要因によって損傷することで、骨盤底筋群１２０が脆弱し、失禁症が発生すると考えられている。一般に正常機能の会陰体は座骨結節よりも約２ｃｍ前上方に位置するが、骨盤底筋群が脆弱すると座骨結節と同等の高さまで下垂する場合もある。
【００３６】
パッド２０を設置したショーツ１０を人体に装着した装着状態において、パッド２０の隆起部２４が会陰体１１５に位置し、その前方の体表面にサポート部２２が対応して配置される。また、一対の脚部２５の間の間隙部２６は、膣孔１１２及び尿道１１１に対応して配置され、一対の脚部２５は膣孔１１２及び尿道１１１の両側部の体表面である皮膚に密着して配される。
【００３７】
装着者がショーツ１０を装着することで、会陰体１１５が突起部２３によって押圧されて刺激されるとともに、膣孔１１２及び尿道１１１の両側部分の骨盤底筋群１２０が脚部２５によって押圧または支持される。このとき、脚部２５は内側部位が外側部２８よりも隆起していることにより股部１１０の体表面に密着して位置ずれが防止される。
【００３８】
また、装着者はショーツ１０を装着した際に、突起部２３が会陰体１１５に当接することによって、会陰体１１５の位置を確認することができる。
【００３９】
本実施形態にかかるショーツ１０及びパッド２０によれば、以下のような効果が得られる。すなわち、会陰体１１５を押圧するためのメイン部２１と骨盤底筋群１２０に配置されるサポート部２２とが一体に設けられていることから、簡単な構造で、会陰体１１５と骨盤底筋群１２０とを押圧することが可能である。したがって、骨盤底筋群１２０を効果的に支持または刺激することで、失禁症状を低減できる。すなわち、通常、会陰体１１５に部材を位置決めすることは困難であるが、本実施形態にかかるパッド２０によればサポート部２２が膣孔１１２や尿道１１１の周りの体表面に密着することで、サポート部２２と一体に設けられたメイン部２１の会陰体１１５への位置決めが実現できる。
【００４０】
また、会陰体１１５に対応するメイン部２１と骨盤底筋群１２０に対応するサポート部２２とが一体に設けられたパッド２０を用いることで、装着者がショーツ１０を装着するだけで、パッド２０の突起部２３で会陰体１１５を支持及び挙上すると同時にサポート部２２によって骨盤底筋群１２０を支持することができ、高い失禁抑制効果が得られる。
【００４１】
なお、尿失禁の対策として、骨盤底筋群１２０を鍛えるいわゆる骨盤底トレーニングを行うことがあるが本実施形態にかかるパッド２０及びショーツ１０によれば、骨盤底トレーニングの際に、装着者が会陰体１１５の位置及び骨盤底筋群１２０の位置を意識しやすい。すなわち、パッド２０によって会陰体１１５に機械的刺激を与えることにより、骨盤底筋群１２０の固有感覚を高め、常に骨盤底筋群１２０を意識できるように補助することができる。このため、例えば骨盤底トレーニングの際には装着者がこのパッド２０をつかむように意識させることができ、また骨盤底筋群１２０の収縮や弛緩も認識しやすくなることで、トレーニング効果を高めることができる。
【００４２】
なお、一般的に失禁症状のある人は、骨盤が後傾位で、骨盤底筋群１２０の筋力が十分に発揮できない姿勢となりがちであるが、その場合にも、本ショーツ１０を装着して会陰体１１５にパッド２０が当たるように意識することで、自然と骨盤の傾きが矯正される。このため、姿勢改善による失禁抑制効果も得られる。
【００４３】
また、所定形状のパッド２０をショーツ１０のマチ部１３に形成されたポケット部１４に挿入するだけで、位置決めが容易にできるとともに、位置ずれを防止できる。
【００４４】
また、パッド２０がポケット部１４内において位置調整可能に構成されていることにより、装着者が個々の体型に合せてパッド２０の位置を適切に設定できる。このため、装着者の体型に左右されることなく高い失禁防止効果を提供できる。
【００４５】
さらに、パッド２０は弾性変形可能なクッション材で構成され、布などの可撓性のあるショーツ１０に保持されることから、パッド２０及びショーツ１０が変形及び復元可能であり、運動追従性がよい。また、ポケット部１４に着脱可能な構成としたことにより、洗濯時に取り外すこともでき取扱い性が良い。さらに、パッド２０には間隙部２６が設けられていることにより、個人によって太ももの大きさや股間の広さが異なることによる個体差に対して、ポケット部１４内部にてフレキシブルにフィットするとともに、装着者の歩行等の妨げになることを防止できるという効果も得られる。
【００４６】
なお、本発明は上記各実施形態そのままに限定されるものではなく、実施段階ではその要旨を逸脱しない範囲で構成要素を変形して具体化できる。
【００４７】
例えば上記実施形態では女性向けボトムの１態様としてショーツで説明したが、これに限られるものではなく、例えばガードル、レギンス、パンツ、タイツとしてもよい。この場合にも上記実施形態と同様の効果を奏することができる。
【００４８】
例えば上記実施形態において一対の前記脚部２５の間は、スリット状の切り欠きとしたが、これに限られるものではなく、一対の脚部２５を一体に連続し、たとえば突条部２７よりも薄い薄肉部で連続させる構成として、略釣鐘状のような構成にしてもよく、その他、略長方形や楕円形状のような構成にしても同様の効果を発揮する。
【００４９】
また、パッド２０の突起部２３や突条部２７に周辺部材よりも固い芯材を内蔵することで、さらに押圧効果を向上することも可能である。
【００５０】
また、パッド２０はショーツ１０と別体で構成し、ショーツ１０に着脱可能としたが、これに限られるものではない。例えば面ファスナやボタン、もしくはテープ類等の接続部材を用いてパッド２０をショーツ１０に設置してもよい。また、パッド２０をマチ部１３に挟み、あるいは吊るすことによりショーツ１０のマチ部１３に設置する構造であってもよい。さらに、パッド２０はショーツ１０のマチ部１３に一体に設けられていてもよい。
【００５１】
この他、上記実施形態に例示された各構成要素を削除してもよく、各構成要素の形状、構造、材質等を変更してもよい。上記実施形態に開示されている複数の構成要素の適宜な組み合わせにより、種々の発明を形成できる。
以下に、本願出願の当初の特許請求の範囲に記載された発明を付記する。
（１）
女性人体の股部分に対応するマチ部を有するボトム衣類に設けられるパッドであって、  前記ボトム衣類の装着時において、装着者の会陰体に対応する位置に突起部を有するメイン部と、前記メイン部の一方側に設けられ前記装着者の前記会陰体の前方の体表面に対向配置されるサポート部と、を備えることを特徴とする女性向けボトム衣類用パッド。
（２）
前記サポート部は、装着時に尿道及び膣孔が並ぶ中央部位の両側部に、前後方向に沿って配される一対の脚部を備え、
前記一対の脚部は、前記脚部が互いに対向する内側部に、外側部よりも厚く構成された突条部をそれぞれ有し、
一対の前記脚部の間は、スリット状の切り欠きまたは前記突条部よりも薄い薄肉部が形成されることを特徴とする（１）記載の女性向けボトム衣類用パッド。
（３）
装着時に装着者の股部を覆うマチ部を備えるとともに、
前記マチ部に配置され、装着時において、装着者の会陰体に位置する突起部を有するメイン部と、前記メイン部の一方側に設けられ前記装着者の前記会陰体の前方の体表面に対向配置されるサポート部と、を備えるボトム衣類用パッドと、を備えることを特徴とする女性向けボトム衣類。
（４）
前身頃と、
後身頃と、
前記前身頃及び前記後身頃の間に設けられるマチ部と、
前記マチ部に設けられ、前記マチ部の前記後身頃側に配置される突起部を有するメイン部と、前記メイン部から前記前身頃側に延びるとともに前記突起部よりも低い一対の突条部を有するサポート部と、を有するボトム衣類用パッドと、を備えることを特徴とする女性向けボトム衣類。
（５）
前記マチ部は袋状に構成されたポケット部を有し、
前記ボトム衣類用パッドは、弾性変形可能なクッション材で、前記ポケット部に収容可能に形成され、
前記突起部における前記メイン部の厚さは１２〜５０ｍｍであり、
前記サポート部の前記突条部は、前記メイン部よりも厚み寸法が小さく、１〜３０ｍｍに構成されることを特徴とする（３）または（４）に記載の女性向けボトム衣類。
【符号の説明】
【００５２】
１０…ショーツ、１１…前身頃、１２…後身頃、１３…マチ部、１４…ポケット部、１４ｄ…返し構造部、２０…パッド、２０ａ…ベースライン、２１…メイン部、２２…サポート部、２３…突起部、２４…隆起部、２５…脚部、２６…間隙部、２７…突条部、２８…外側部、１１０…股部、１１１…尿道、１１２…膣孔、１１３…肛門、１１５…会陰体、１２０…骨盤底筋群、１２１…骨盤。
【図１】
0006596256.tif 000002
【図２】
0006596256.tif 000003
【図３】
0006596256.tif 000004
【図４】
0006596256.tif 000005
【図５】
0006596256.tif 000006
【図６】
0006596256.tif 000007
【図７】
0006596256.tif 000008
【図８】
0006596256.tif 000009